(57)【特許請求の範囲】
【請求項１】
装着状態において着用者の股下に位置する股下部と、該股下部の前後から延びる腹側部及び背側部とを有し、背側部の左右の側部域に止着用のファスニングテープを備え、腹側部の外面に該ファスニングテープが止着されるターゲットテープを備えた使い捨ておむつにおいて、
前記ターゲットテープに、該ターゲットテープを左右に二等分する位置に中心指標を設け、更に該中心指標に対して左右線対称の位置に、該ターゲットテープの上端側又は／及び下端側に偏倚させて、２組以上の止着指標を設け、
前記中心指標及び前記止着指標をいずれも、触覚によって知覚されるように形成し、かつ各組の前記止着指標を、互いに異なる触覚を呈するように形成するとともに、該止着指標と該中心指標も互いに異なる触覚を呈するように形成した、使い捨ておむつ。
【請求項２】
各組の前記止着指標どうしを、５ｍｍ以上離間させて設けた請求項１に記載の使い捨ておむつ。
【請求項３】
前記止着指標を前記ターゲットテープの上端側に偏倚させて設け、該止着指標の下端部と、該ターゲットテープの下端縁との間の距離を、前記ファスニングテープの止着幅と同等か又はそれ以上となした請求項１又は２に記載の使い捨ておむつ。
【請求項４】
前記止着指標を前記ターゲットテープの下端側に偏倚させて設け、該止着指標の上端部と、該ターゲットテープの上端縁との間の距離を、前記ファスニングテープの止着幅と同等か又はそれ以上となした請求項１又は２に記載の使い捨ておむつ。
【請求項５】
前記中心指標を、前記ターゲットテープの上端側又は下端側に偏倚させて設け、
前記止着指標を、前記中心指標が偏倚している側と反対側に偏倚させて設けた請求項１ないし４のいずれか一項に記載の使い捨ておむつ。
【請求項６】
前記止着指標を、前記ターゲットテープの上端側及び下端側の双方に偏倚させて設けた請求項１ないし５のいずれか一項に記載の使い捨ておむつ。
【請求項７】
各組の前記止着指標の面積を異ならせることで、各組の該止着指標を、互いに異なる感触を呈するように形成した請求項１ないし６のいずれか一項に記載の使い捨ておむつ。
【請求項８】
各組の前記止着指標が、前記ターゲットテープに施されたエンボス加工によって形成された凹部からなる請求項１ないし７のいずれか一項に記載の使い捨ておむつ。
【請求項９】
前記凹部内に１又は２以上の小凸部を設けた請求項８に記載の使い捨ておむつ。
【発明の詳細な説明】
【技術分野】
【０００１】
本発明は、ファスニングテープをターゲットテープに止着することで装着するタイプの使い捨ておむつに関する。
【背景技術】
【０００２】
おむつの背側部に設けられた左右のファスニングテープを、腹側の外面に設けられたターゲットテープに止着することで装着するタイプの使い捨ておむつ、すなわち、いわゆるテープ止めタイプのおむつにおいては、ファスニングテープを止着したときの左右のバランスが崩れてしまうと、それに起因して液漏れが起こりやすくなる傾向にある。そこで、左右のファスニングテープの止着位置をバランスさせることを目的として、例えばターゲットテープに止着位置の目安となる目盛り等を印刷等の手段によって施し、視覚的に止着位置を認識する技術が種々提案されている。
【０００３】
しかし、視覚的に止着位置を認識する手段を設けただけでは、夜間等の暗所でおむつを交換する場合や、視覚障害を有する人がおむつを交換する場合に不都合が生じる。かかる不都合を解消することを目的として、特許文献１においては、粘着テープからなるファスニングテープを備えた使い捨ておむつにおいて、ターゲットテープの表面のうち、粘着テープが接着されない領域に、凸状又は凹状の識別マークを設けることが提案されている。
【先行技術文献】
【特許文献】
【０００４】
【特許文献１】特開平９−３８１２８号公報
【発明の概要】
【発明が解決しようとする課題】
【０００５】
特許文献１に記載のおむつにおいては、前記識別マークは、ターゲットテープの幅方向の中央部にのみ設けられている。したがって、該識別マークによって、ターゲットテープの中央部は視覚によらずとも認識できる。しかし、着用者のウエストサイズに応じてファスニングテープの止着位置を変更したい場合、中心部から左右に離れた位置には前記識別マークが設けられていないので、そのような位置に視覚によらず対称にファスニングテープを止着することは容易でない。
【０００６】
したがって本発明の課題は、前述した従来技術が有する欠点を解消し得るテープ止めタイプの使い捨ておむつを提供することにある。
【課題を解決するための手段】
【０００７】
本発明は、装着状態において着用者の股下に位置する股下部と、該股下部の前後から延びる腹側部及び背側部とを有し、背側部の左右の側部域に止着用のファスニングテープを備え、腹側部の外面に該ファスニングテープが止着されるターゲットテープを備えた使い捨ておむつにおいて、
前記ターゲットテープに、該ターゲットテープを左右に二等分する位置に中心指標を設け、更に該中心指標に対して左右線対称の位置に、該ターゲットテープの上端側又は／及び下端側に偏倚させて、２組以上の止着指標を設け、
前記中心指標及び前記止着指標をいずれも、触覚によって知覚されるように形成し、かつ各組の前記止着指標を、互いに異なる触覚を呈するように形成するとともに、該止着指標と該中心指標も互いに異なる触覚を呈するように形成した、使い捨ておむつを提供するものである。
【発明の効果】
【０００８】
本発明の使い捨ておむつによれば、ターゲットテープに触れることで、ファスニングテープを左右対称に止着する位置を容易に認識することができる。したがって視覚によらず、ファスニングテープを左右対称に止着することができるので、暗所でのおむつの交換や視覚障害を有する人のおむつ交換が容易に行える。
【図面の簡単な説明】
【０００９】
【図１】図１は、本発明の使い捨ておむつを着用する様子を示す斜視図である。
【図２】図２（ａ）は、図１に示す使い捨ておむつのターゲットテープの形状を示す平面図であり、図２（ｂ）は、図２（ａ）のｂ−ｂ線断面図である。
【図３】図３（ａ）は、本発明の別の実施形態の使い捨ておむつにおけるターゲットテープを示す図であり、図２（ａ）相当図である。図３（ｂ）は、図３（ａ）のｂ−ｂ線断面図である。図３（ｃ）は、図３（ａ）及び（ｂ）に示す形態のターゲットテープの変形例を示す図であり、図３（ｂ）相当図である。
【図４】図４は、本発明の更に別の実施形態の使い捨ておむつにおけるターゲットテープを示す図であり、図２（ａ）相当図である。
【図５】図５は、本発明の更に別の実施形態の使い捨ておむつにおけるターゲットテープを示す図であり、図２（ａ）相当図である。
【図６】図６は、本発明の更に別の実施形態の使い捨ておむつにおけるターゲットテープを示す図であり、図２（ａ）相当図である。
【図７】図７は、本発明の更に別の実施形態の使い捨ておむつにおけるターゲットテープを示す図であり、図２（ａ）相当図である。
【図８】図８は、本発明の更に別の実施形態の使い捨ておむつにおけるターゲットテープを示す図であり、図２（ａ）相当図である。
【図９】図９は、本発明の更に別の実施形態の使い捨ておむつにおけるターゲットテープを示す図であり、図２（ａ）相当図である。
【図１０】図１０は、本発明の更に別の実施形態の使い捨ておむつにおけるターゲットテープを示す図であり、図２（ａ）相当図である。
【図１１】図１１は、本発明の更に別の実施形態の使い捨ておむつにおけるターゲットテープを示す図であり、図２（ａ）相当図である。
【図１２】図１２は、本発明の更に別の実施形態の使い捨ておむつにおけるターゲットテープを示す図であり、図２（ａ）相当図である。
【発明を実施するための形態】
【００１０】
以下本発明を、その好ましい実施形態に基づき図面を参照しながら説明する。
図１に示す第一実施形態の使い捨ておむつ１は、装着状態において着用者の股下に位置する股下部Ｃと、該股下部Ｃの前後から延びる腹側部Ａ及び背側部Ｂとを有している。背側部Ｂの左右の側部域２０，２０には、止着用の一対のファスニングテープ４０，４０が取り付けられている。腹側部Ａの外面には、ファスニングテープ４０，４０が止着されるターゲットテープ５０が取り付けられている。
【００１１】
おむつ１は、液透過性の表面シート（図示せず）、液難透過性又は液不透過性の裏面シート１０、及び両シート間に介在する液保持性の吸収体（図示せず）を有している。おむつ１は、図１において符号Ｘで示す方向が長手方向となり、符号Ｙで示す方向が幅方向となる一方に長い形状をしている。
【００１２】
表面シート、裏面シート１０及び吸収体としては、この種のおむつに従来用いられていたものと同様のものを用いることができる。表面シートとしては、例えば不織布や穿孔フィルムなどの液透過性のシート材を用いることができる。裏面シート１０としては、合成樹脂製のフィルム等や、スパンボンド−メルトブローン−スパンボンド不織布（ＳＭＳ不織布）等の撥水性のシート材料を用いることができる。合成樹脂製のフィルムを微多孔質フィルムから構成して、水蒸気透過性を付与してもよい。また微多孔質フィルムの外面に不織布等の通気性シートを積層した複合シートを裏面シートとして用いてもよい。吸収体としては、液保持性の繊維材料の積繊体や、該繊維材料と高吸収性ポリマーの混合物の積繊体を用いることができる。この積繊体はその全体を、ティッシュペーパー等の液透過性シートで包んでもよい。
【００１３】
図１に示すように、一対のファスニングテープ４０，４０は、おむつ１の背側部Ｂにおける左右の両側部域２０，２０からそれぞれおむつ１の幅方向Ｙの外方に延出するように設けられている。ファスニングテープ４０は、基材シート４１と、該基材シート４１における表面シートと同じ側を向く面上に設けられた止着部４２とを有している。止着部４２としては、この種のおむつに従来用いられていたものと同様のものを用いることができる。例えば面ファスナのフック部材や、粘着剤等を用いることができる。
【００１４】
図１に示すように、ファスニングテープ４０，４０の止着部４２が止着するターゲットテープ５０は、腹側部Ａの外面における幅方向Ｙの中央域に設けられている。ターゲットテープ５０は、おむつ１の幅方向Ｙに横長の略矩形状である。ターゲットテープ５０は、上述したファスニングテープ４０における止着部４２の材質に応じ、適切な材質のものが選択される。止着部４２が例えば面ファスナのフック部材である場合、ターゲットテープ５０としては、該フック部材と係合可能な繊維シート、例えば編み物地や不織布などが用いられる。ファスニングテープ４０の止着部４２が粘着剤からなる場合には、ターゲットテープ５０として合成樹脂製の平滑なフィルム等を用いることができる。
【００１５】
本発明の使い捨ておむつは、ターゲットテープの形状に特徴の一つを有する。詳細には、ターゲットテープに、中心指標及び止着指標を設けている。中心指標とは、ターゲットテープを左右に二等分する位置を示す指標である。止着指標とは、ターゲットテープにファスニングテープを取り付ける位置を示す指標である。したがって中心指標は、ターゲットテープを左右に二等分する位置に形成されている。一方、止着指標は、中心指標に対して左右線対称の位置に設けられている。止着指標は２組以上設けられている。更に止着指標は、ターゲットテープの上端側及び／又は下端側に偏倚させて設けられている。
【００１６】
詳細には、図２に示す実施形態においては、ターゲットテープ５０に、一つの中心指標５１が、ターゲットテープ５０の幅方向Ｙの全長を左右に二等分する位置に設けられている。中心指標５１は、ターゲットテープ５０の平面視において、長手方向Ｘに延びて、ターゲットテープ５０の長手方向Ｘの全域にわたって直線状に形成されている。また、ターゲットテープ５０には、中心指標５１に近い順に、１組目の止着指標５２，５２、２組目の止着指標５３，５３、３組目の止着指標５４，５４の３組の止着指標がそれぞれ設けられている。各組の止着指標は、ターゲットテープ５０において該中心指標５１に対し左右線対称な位置に設けられている。止着指標５２ないし５４は、ターゲットテープ５０の平面視において幅方向Ｙの２辺と長手方向Ｘの２辺とに囲まれてなる略矩形状をしている。つまり止着指標５２ないし５４は、ターゲットテープ５０の上端縁を含んでいる。各組を構成する一対の止着指標は、中心指標５１に対して線対称な形状をしている。
【００１７】
中心指標５１及び止着指標はいずれも、触覚によって知覚されるように形成されている。各組の止着指標は、互いに異なる触覚を呈するように形成されている。更に中心指標と止着指標も互いに異なる間隔を呈するように形成されている。
【００１８】
本実施形態のおむつ１を装着するときには、腹側部Ａを着用者の腹部に当てた状態で、両方の手の指を使ってターゲットテープ５０を触り、中心指標５１を探り当てる。中心指標５１と止着指標５２ないし５４とでは触感が異なるので、中心指標５１を探り当てることは容易である。次に、各手の指がターゲットテープ５０に触れている状態で、各指を中心指標５１から左右に離していくことにより、中心指標５１から近い順に、止着指標５２，５２，止着指標５３，５３，止着指標５４，５４を探り当てる。各組の止着指標は、互いに異なる触感を呈するように形成されているので、組ごとに止着指標を探り当てることは容易である。この場合、止着指標５２ないし５４が、ターゲットテープ５０の上端側に偏倚して設けられているので、ターゲットテープ５０の上端部に沿って指をなぞっていくことによって、止着指標５２ないし５４の位置を一層知覚しやすい。このようにして、中心指標５１に対し左右線対称な位置を知覚できる。それによって、各組の止着指標の位置を目安にして、ファスニングテープ４０，４０を、中心指標５１から左右対称な位置に容易に止着させることができる。このように、本発明によれば、暗所でのおむつの交換や視覚障害を有する人のおむつ交換を容易に行うことができる。
【００１９】
特に、本実施形態のおむつ１では、止着指標５２ないし５４の形成箇所をターゲットテープ５０の上端側に偏倚させているので、ターゲットテープ５０の下端側に、ファスニングテープ４０の止着領域を十分に確保することができる。したがって、本実施形態には、ターゲットテープ５０の全体に止着指標を設ける場合に比べて、ターゲットテープ５０と止着部４２との係合力の低下を抑制することができるという利点がある。
【００２０】
中心指標５１及び止着指標５２ないし５４は、図２（ｂ）に示すように、エンボス加工によって、ターゲットテープ５０の外面５０ａに形成され、内面５０ｂ側に向けて凹んだ凹部として形成されている。該凹部は、該エンボス加工によって、ターゲットテープ５０を構成するシートが圧密化されて形成されている。ターゲットテープ５０が編み物地や不織布等の繊維シートからなる場合、該繊維シートがエンボス加工によって付与された熱でフィルム化されることで凹部が形成され、該凹部が表面平滑な状態となっていることが、中心指標５１及び止着指標５２ないし５４を触感で知覚しやすくする観点から好ましい。図２（ｂ）に示す例では、中心指標５１及び止着指標５２ないし５４それぞれを構成する凹部の底面は、ターゲットテープ５０外面５０ａからの深さが略一定であるが、異なっていてもよい。
【００２１】
このように、本実施形態においては、中心指標５１及び止着指標５２ないし５４を、ターゲットテープ５０の平面視において所定形状を有する凹部に形成することで、これらを触感で知覚されるように形成してある。より確実に中心指標５１を触感で知覚可能とする観点から、中心指標５１の幅方向Ｙの最大幅Ｌ５１（図２（ａ）参照）は、１〜１５ｍｍであることが好ましく、更に好ましくは５〜１０ｍｍである。
【００２２】
本実施形態においては、組ごとに止着指標の面積を異ならせることで、各組の止着指標が、互いに異なる触感を呈するように形成している。止着指標の面積とは、本実施形態においては、止着指標を構成する凹部の底面積である。図２（ａ）に示すように、各組の止着指標は、長手方向Ｘの長さがいずれも一定であり、幅方向Ｙの長さが、中心指標５１から遠ざかる組の止着指標ほど小さくなるように形成されている。その結果、中心指標５１から遠い組の止着指標ほどその面積が小さくなっている。このように止着指標を形成することで、中心指標５１に触れている各手の指を、ターゲットテープ５０の左右に向けて移動させていくときに、止着指標を一層知覚しやすくなる。
【００２３】
また本実施形態においては、中心指標５１が、ターゲットテープ５０の長手方向Ｘの全域にわたって形成されているのに対して、各組の止着指標がターゲットテープ５０の上端縁を含んで、該ターゲットテープ５０の上端側に偏倚して形成されている。このように、中心指標５１と各組の止着指標とでは、それらの形状が大きく相違することに起因して、触感も大きく相違する。したがって、止着指標と区別して、中心指標５１を指で探り当てることは容易である。
【００２４】
各組の止着指標どうしは、５ｍｍ以上、特に５〜３０ｍｍ離間させて設けてあることが好ましい。図２（ａ）に示すように、隣り合う２組の止着指標どうしの間隔、例えば止着指標５２，５２と止着指標５３，５３との間隔Ｌｓ１、止着指標５３，５３と止着指標５４，５４との間隔Ｌｓ２は、いずれも５ｍｍ以上となっていることが好ましい。それゆえ、止着指標を指の腹で確認する場合に、止着指標間の領域を触覚で確実に知覚でき、隣接した２つの止着指標それぞれを確実に独立して認識できる。
【００２５】
また、止着指標５２ないし５４の下端部と、該ターゲットテープ５０の下端縁５０ｄとの間の距離Ｌｘ（図２（ａ）参照）を、ファスニングテープ４０，４０の止着幅Ｌ４２（図１参照）と同等か又はそれ以上となすことも好ましい。図１に示すように、止着幅Ｌ４２は、ファスニングテープ４０，４０の止着部４２における、長手方向Ｘの最大幅である。前記距離Ｌｘが、止着幅Ｌ４２と同等かそれ以上であることによって、ターゲットテープ５０の止着指標が設けられていない領域にファスニングテープ４０の止着部４２を止着しやすいため、止着指標を設けることによるターゲットテープ５０の係合力の低下を防止できる。
【００２６】
次に、第２ないし第１１実施形態の使い捨ておむつについて、図３ないし図１２を参照して説明する。第２ないし第１１実施形態の使い捨ておむつについては、第１実施形態との相違点について主として説明し、同様の点については説明を省略する。特に説明しない点は、第１実施形態と同様である。図３ないし図１２には、第１実施形態の使い捨ておむつの構成要素等と同様の構成要素等に同一の符号を付してある。
第２ないし第８実施形態の使い捨ておむつそれぞれは、第１実施形態の使い捨ておむつにおけるターゲットテープ５０を、図３ないし図９に示すターゲットテープ５０Ａないし５０Ｇそれぞれに置き換えたものである。
【００２７】
図３に示す第２実施形態におけるターゲットテープ５０Ａは、止着指標５２Ａないし５４Ａそれぞれを構成する凹部内に、１又は２以上の小凸部５６が設けてある。具体的には、図３（ｂ）に示すように、小凸部５６は、各凹部の底面から突起している。このような小凸部５６が存在することにより、各止着指標を触感で更に知覚しやすくなる。凹部の深さＤ（図３（ｂ）参照）に対する小凸部５６の高さＨ（図３（ｂ）参照）の割合（Ｈ／Ｄ）は、０．５〜１．５であることが好ましい。小凸部５６は、止着指標を構成する凹部と小凸部５６の形状に対応した凹凸部を有するエンボスロールを用いてエンボス加工を行うことにより、凹部の形成と同時に形成することができる。
【００２８】
図３（ａ）に示すように、小凸部５６は、ターゲットテープ５０Ａにおける長手方向Ｘの略同位置において、幅方向Ｙに沿って並んで設けられている。各組の止着指標を構成する凹部それぞれに配置された小凸部５６の数は異なっており、これによって、各止着指標の触感の異なりは大きくなる。図３に示す例では、より面積の大きな止着指標を構成する凹部に、より多くの小凸部５６が配置されている。
【００２９】
図３（ｂ）に示す形態では、ターゲットテープ５０Ａにおける、小凸部５６の形成箇所の内面５０ｂ側（図３（ｂ）の下側）は、平坦に形成されている。これに代えて図３（ｃ）に示すように、小凸部５６の内面５０ｂ側に、小凸部５６の突出方向、即ちターゲットテープ５０Ａの外面５０ａ側に向けて凹んだ小凹部５７を形成してもよい。このような小凹部５７は、凹部を有する一つのロールと凸部を有する他のロールとを、ターゲットテープを挟んだ状態で該凹部と該凸部とを互いに噛み合わせて回転させて小凸部５６を形成することにより、小凸部５６と共に形成される。このように内面５０ｂ側の小凹部５７と共に外面５０ａ側の小凸部５６を形成すると、該小凸部５６を、触感の鮮明なものに形成しやすいため好ましい。
【００３０】
図４に示す第３実施形態においては、ターゲットテープ５０Ｂに形成された各止着指標５２Ｂないし５４Ｂは、ターゲットテープ５０Ｂの上端側に偏倚しているものの、上端縁５０ｃまで延在していない。また、各止着指標５２Ｂないし５４Ｂは略円形状に形成されている。各止着指標５２Ｂないし５４Ｂの中心は、１本の直線上に位置している。この直線は、ターゲットテープ５０の幅方向Ｙと平行になっている。また、止着指標５２Ｂないし５４Ｂは、中心指標５１から、ターゲットテープ５０Ｂの左右側方に向かうに連れて、円の直径が漸次小さくなっている。
【００３１】
図５に示す第４実施形態においては、中心指標５１Ｃはターゲットテープ５０Ｃの上端縁５０ｃから切り込まれたノッチ部からなる。該ノッチ部は上端縁５０ｃを底辺とする略二等辺三角形の形状に形成されている。一方、各止着指標５２ないし５４は、図１に示す実施形態と同様に凹部となっている。このように、中心指標５１Ｃと止着指標５２ないし５４とを、凹部とノッチ部という異なる形態のものに形成することにより、中心指標５１Ｃと止着指標５２ないし５４とを触覚でより明確に区別することができる。それによって止着指標の位置を更に容易に特定できる。図５に示すように、ターゲットテープ５０Ｃにおいては、中心指標５１Ｃを、ターゲットテープの上端側に偏倚させて設け、止着指標５２ないし５４を、中心指標５０Ｃが偏倚している側と同じ側に偏倚させて設けてある。
【００３２】
図６に示す第５実施形態においては、止着指標５２Ｄないし５４Ｄが、ターゲットテープ５０Ｄの下端側に偏倚して設けられている。具体的には、止着指標５２Ｄないし５４Ｄは、第１実施形態における止着指標５２ないし５４を、長手方向Ｘを逆にしてターゲットテープ５０Ｄに設けたものである。また、止着指標５２Ｄないし５４Ｄは、中心指標５１Ｃが偏倚している側と反対側に偏倚させて設けてある。止着指標５２Ｄないし５４Ｄは、ターゲットテープ５０Ｄの側縁に向かうに連れてその面積が漸次小さくなっている。このように構成されたターゲットテープ５０Ｄにおいては、例えば、両方の手の人指し指で中心指標５１Ｃを押さえた状態で、それぞれの手の親指で左右それぞれの側に位置する止着指標を探しやすいので、各組の止着指標５２Ｄないし５４Ｄを知覚しやすい。したがってファスニングテープ４０，４０をターゲットテープ５０Ｄの左右対称な位置にスムーズに止着できる。
【００３３】
本実施形態においては、止着指標５２Ｄないし５４Ｄの上端部と該ターゲットテープ５０Ｄの上端縁５０ｃとの間の距離Ｌｘ’は、第１実施形態の距離Ｌｘと同様に、ファスニングテープの止着幅Ｌ４２（図１参照）と同等か又はそれ以上となっていることが好ましい。なお、本実施形態における中心指標は、図５に示す中心指標５１Ｃと同様のものであり、同じ符号を付してある。
【００３４】
次に、図７ないし図９に示す第６ないし第８実施形態について、まとめて説明する。なお、図７及び図９に示す第６及び第８実施形態の上側の中心指標は、図５に示す中心指標５１Ｃと同様のものであり、同じ符号を付してある。
【００３５】
図７ないし図９に示す第６ないし第８実施形態においては、ターゲットテープ５０Ｅ，５０Ｆ，５０Ｇそれぞれの上端側に偏倚した位置に形成された止着指標５２Ｅないし５４Ｅが、ターゲットテープの上端縁５０ｃから切り込まれたノッチ部からなる。ノッチ部の切り欠き形状は略半円状となっている。ノッチ部の面積は、ターゲットテープの側縁に向かうに連れて漸次小さくなっている。つまり、略半円形をしているノッチ部の直径が漸次小さくなっている。
【００３６】
また図７ないし図９に示す実施形態においては、止着指標をターゲットテープの上端側に偏倚させて設けていることに加えて、下端側にも偏倚させて設けている。具体的には、図７に示す実施形態においては、ターゲットテープ５０Ｅは、止着指標５２Ｅないし５４Ｅのほかに、ターゲットテープ５０Ｅの下端部の一部が下方に延出した半円形の延出部からなる止着指標５２ｅないし５４ｅを更に有している。止着指標５２ｅないし５４ｅそれぞれは、止着指標５２Ｅないし５４Ｅそれぞれと、幅方向Ｙにおいて略同位置に形成されている。また、止着指標５２ｅないし５４ｅそれぞれは、止着指標５２Ｅないし５４Ｅそれぞれの、ノッチ部の切り欠き形状と同形状になっている。
【００３７】
一方、図８及び図９に示す実施形態においては、ターゲットテープ５０Ｆ及び５０Ｇは、止着指標５２Ｅないし５４Ｅのほかに、ターゲットテープの下端縁５０ｄから内側に向けて切り込まれたノッチ部からなる止着指標５２ｆないし５４ｆを有している。止着指標５２ｆないし５４ｆそれぞれは、止着指標５２Ｅないし５４Ｅそれぞれと、ターゲットテープ５０Ｆ，５０Ｇの横中心線ＬHに対して略対称な形状に形成されている。横中心線ＬHは、ターゲットテープ５０Ｆ，５０Ｇを、長手方向Ｘの最大幅を二等分して幅方向Ｙに延びる直線である。
【００３８】
このように、第６ないし第８実施形態においては、止着指標をターゲットテープの上端側及び下端側の両方に偏倚させて設けたので、ターゲットテープの上端側及び下端側のいずれを触っても、止着指標を触覚で知覚することができる。
【００３９】
以上は、図７ないし図９に示す実施形態における止着指標についての説明であるところ、中心指標については次のように構成されている。図７に示す実施形態において、中心指標５１Ｅは、ターゲットテープ５０Ｅの上端縁５０ｃから切り込まれたノッチ部からなる上側の中心指標５１Ｃと、ターゲットテープ５０Ｅの下端部の一部が下方に延出した略二等辺三角形状の下側の中心指標５１ｅとからなる。下側の中心指標５１ｅは、上側の中心指標５１Ｃと幅方向Ｙにおいて略同位置に形成されている。また下側の中心指標５１ｅは、上側の中心指標５１Ｃのノッチ部の切り欠き形状と同形状になっている。
【００４０】
図８に示す実施形態における中心指標５１は、先に説明した第１実施形態における中心指標と同様に構成されている。図９に示す実施形態においては、中心指標５１Ｇは、ターゲットテープ５０Ｇの上端縁５０ｃから内方に向けて切り込まれたノッチ部からなる上側の中心指標５１Ｃと、その下端縁５０ｄから内方に向けて切り込まれたノッチ部からなる下側の中心指標５１ｆからなる。下側の中心指標５１ｆは、上側の中心指標５１Ｃと幅方向Ｙにおいて略同位置に形成されている。かつ下側の中心指標５１ｆと、上側の中心指標５１Ｃとは、ターゲットテープ５０Ｇの横中心線ＬHに対して略対称な形状に形成されている。
【００４１】
以上のとおり、図７ないし図９に示す実施形態においては、止着指標だけでなく、中心指標も、ターゲットテープの上端部及び下端部の両方に位置するので、中心指標を押さえながら止着指標を探すときに、人指し指と親指のいずれの指も容易に動かすことができる。なお、図７及び図９に示す実施形態においては、ターゲットテープの上端側に偏倚して形成されている中心指標及び止着指標はいずれもノッチ部から形成されているが、ノッチ部の形状が相違するので、中心指標と止着指標の違いを触覚で知覚することは容易である。ターゲットテープの下端側に偏倚して形成されている延出部からなる中心指標及び止着指標についても同様である。図８に示す実施形態においては、中心指標がエンボス加工によって形成された凹部からなるのに対して、止着指標はノッチ部からなるので、やはり中心指標と止着指標の違いを触覚で知覚することは容易である。
【００４２】
図１０及び図１１には、本発明の第９及び第１０実施形態が示されている。図１０及び図１１に示すターゲットテープ５０Ｈ，５０Ｉにおいては、上側の中心指標５１Ｆ及び上側の止着指標５２Ｆ〜５４Ｆそれぞれが、ターゲットテープの上端部の一部が上方に延出した延出部からなる。ターゲットテープ５０Ｈ，５０Ｉにおける上側の中心指標５１Ｆ及び上側の止着指標５２Ｆ〜５４Ｆは、図７に示すターゲットテープにおける下側の中心指標５１ｅ、下側の止着指標５２ｅ〜５４ｅを上下反転させたものであり、その点以外は、図７の下側の中心指標５１ｅ及び下側の止着指標５２ｅ〜５４ｅと同様のものである。またターゲットテープ５０Ｈにおける、下側の中心指標５０ｆ及び下側の止着指標５２ｆ〜５４ｆは、それぞれ図９に示すターゲットテープ５０Ｇにおける下側の中心指標及び下側の止着指標と同様のものである。図１１に示すターゲットテープ５０Ｉは、下側の中心指標５１ｅ、下側の止着指標５２ｅ〜５４ｅが、図７に示す下側の中心指標及び下側の止着指標と同様のものとなっている。
【００４３】
次に、図１２に示す第１１実施形態について説明する。図１２に示す実施形態は、図２に示す実施形態の変形例であり、図１２に示す中心指標５１は、図２に示す中心指標と同様のものである。図２に示す実施形態においては、ターゲットテープの上端側に偏倚して設けられていた止着指標５２〜５４が、ターゲットテープの上端縁５０ｃを含んで形成されていた。これに対して図１２に示すターゲットテープ５０Ｊにおいては、図２に示す止着指標と同様の構成をした上側の各止着指標を設けると共に、これらの止着指標と幅方向Ｙにおける略同位置に、ターゲットテープの下端縁を含んで形成された下側の止着指標５２ｇ〜５４ｇをそれぞれ設けている。止着指標５２ｇ〜５４ｇも、上側の止着指標と同様、略矩形状をしている。止着指標５２ｇ〜５４ｇは、それぞれ、幅方向Ｙの略同位置にある上側の止着指標と、幅方向Ｙの寸法が略同じである。一方、止着指標５２ｇ〜５４ｇは、それぞれ、長手方向Ｘの寸法が、幅方向Ｙの略同位置にある上側の止着指標よりも小さい。これによって、下側の止着指標は、幅方向Ｙの略同位置にある上側の止着指標よりも面積が小さく形成されている。このように、幅方向Ｙの略同位置にある上側の止着指標と、下側の止着指標とを、面積が異なるように形成すると、ファスニングテープをターゲットテープに止着する際、手でターゲットテープを触ったときに、ターゲットテープの上方を触っているのか、それとも下方を触っているのかを容易に判断でき、ターゲットテープの中央指標に対して左右対称な位置にファスニングテープを止着させやすい。
【００４４】
以上、本発明をその好ましい実施形態に基づき説明したが、本発明の範囲は上述した実施形態に制限されず適宜変更が可能である。例えば、中心指標及び止着指標の形態は、上述の各実施形態で述べたものに限定されず、触覚によって知覚可能である限り、他の形態であってもよい。
【００４５】
図には示していないがターゲットテープに通常施される柄、数値、模様などを適宜組み合わせてターゲットテープに印刷してもよい。特に、ファスニングテープの止着位置を視覚的に知覚させるための模様等の印刷と、触覚により知覚させるための止着指標とを組み合わせると、明るい場所で視覚的に示されるイメージが、暗い場所で止着指標を触感で知覚したときに脳裏に浮かび上がるので、止着指標の位置を理解しやすい。つまり模様等の印刷と止着指標の組み合わせは、模様等の印刷が、止着指標を用いた触感による位置確認を補助する役割を果たすため好ましい。
【００４６】
また、図２ないし図１２示す実施形態では、中心指標５１から遠ざかる組の止着指標ほど、その面積が小さくなるように形成した例を示したが、止着指標の配置の順序はこれに限られない。例えば、図２ないし図１２に示す実施形態とは逆に、中心指標から遠ざかる組の止着指標ほど、その面積が大きくなるように形成してもよい。このように止着指標を形成しても、中心指標５１に触れている各手の指を、ターゲットテープ５０の左右に向けて移動させていくときに、止着指標を知覚しやすい。
【００４７】
また、上述した一つの実施形態における説明省略部分及び一つの実施形態のみが有する要件は、それぞれ他の実施形態に適宜適用することができ、また、各実施形態における要件は、適宜、実施形態間で相互に置換可能である。
【符号の説明】
【００４８】
１    使い捨ておむつ
２０  背側部の側部域
４０  ファスニングテープ
５０  ターゲットテープ
５１  中心指標
５２  止着指標
Ａ  腹側部
Ｂ  背側部
Ｃ  股下部
Ｌｘ  止着指標の下端部と、該ターゲットテープの下端縁との間の距離
Ｌｘ’  止着指標の上端部と、該ターゲットテープの上端縁との間の距離
Ｌ４２  ファスニングテープの止着幅
【図１】
0005767074.tif 000002
【図２】
0005767074.tif 000003
【図３】
0005767074.tif 000004
【図４】
0005767074.tif 000005
【図５】
0005767074.tif 000006
【図６】
0005767074.tif 000007
【図７】
0005767074.tif 000008
【図８】
0005767074.tif 000009
【図９】
0005767074.tif 000010
【図１０】
0005767074.tif 000011
【図１１】
0005767074.tif 000012
【図１２】
0005767074.tif 000013